(57)【特許請求の範囲】
【請求項１】
略水平となる使用姿勢と略鉛直に起立する収納姿勢との間で回動可能に構成した天板と、天板表面より上方又は天板裏面より下方に所定距離偏位させた位置であって且つ天板の反使用縁より後方に離間した位置に設けたパネル部材回転軸を介して、当該天板に天板の回動とは独立して回転可能に支持させたデスクトップパネルや幕板等のパネル部材とを備え、当該パネル部材が、その上端部をパネル部材回転軸より上方に位置付けたものであり、このパネル部材を略鉛直に起立させた起立姿勢にした場合には、該パネル部材と天板との間に配線ケーブルを挿通させるための所定の大きさの隙間が形成され、前記パネル部材を回転させて傾斜姿勢にした場合には、前記隙間が前記起立姿勢におけるものよりも拡がるように構成したものであることを特徴とするテーブル。
【請求項２】
パネル部材回転軸が天板の反使用縁側に設けられた左右水平に延びるものであり、前記隙間が該パネル部材と天板の反使用縁部との間に形成されるようにしていることを特徴とする請求項１記載のテーブル。
【請求項３】
天板を左右水平に延びる天板回動軸を介して脚体に支持させ、略水平となる使用姿勢と略鉛直に起立する収納姿勢との間で回動可能に構成したものであって、前記パネル部材が天板の回動とは独立して回転するように構成している請求項２記載のテーブル。
【請求項４】
前記起立姿勢においては、前記隙間が配線ケーブルを挿通させ得るとともにコネクタ等は挿通させ得ない大きさとなり、前記傾斜姿勢においては前記隙間がコネクタ等をも挿通させ得る大きさとなるように設定している請求項１、２又は３記載のテーブル。
【請求項５】
前記パネル部材が、前記起立姿勢において天板の反使用縁より後方に離間して配置されている請求項１、２、３又は４記載のテーブル。
【請求項６】
前記パネル部材が、前記起立姿勢において天板の上下に亘って配置されている請求項１、２、３、４又は５記載のテーブル。
【請求項７】
前記天板又は前記パネル部材のいずれか一方から、他方に向かって突出する複数の隆起部を設け、前記起立姿勢において形成される隙間が、前記隆起部、前記天板及び前記パネル部材によって囲まれるように構成している請求項１、２、３、４、５又は６記載のテーブル。
【請求項８】
前記パネル部材が、少なくとも重心より高い位置において前記パネル部材回転軸周りに回転自在に支持され、外力が作用しない状態においては、自重によって略起立姿勢を維持し得るように構成している請求項１、２、３、４、５、６又は７記載のテーブル。
【発明の詳細な説明】
【０００１】
【発明の属する技術分野】
本発明は、デスクトップパネルや幕板等のパネル部材を備えてなるテーブルに関するものである。
【０００２】
【従来の技術】
従来、天板を略水平となる使用姿勢から略鉛直に起立する収納姿勢にフラップ動作させることによって水平方向に複数をスタック可能に構成した、いわゆるフラップ式のテーブルが知られている。そしてこの種のテーブルにおいて、その他の一般的なテーブル同様、幕板やデスクトップパネル等のパネル部材を天板の反使用縁側に取り付けたものが開発されている。
【０００３】
このようなパネル部材付のフラップ式テーブルにおいては、前記スタックを可能とするために、前記収納姿勢においてパネル部材を天板に略平行にする必要がある。そこで、天板とパネル部材とを四辺リンク構造等を利用した連動機構を介して連結し、天板の回動に連動してパネル部材と当該天板とのなす角度が一意的に変化するように構成してある。
【０００４】
【発明が解決しようとする課題】
しかしながら、例えば天板の反使用縁とパネル部材との間に隙間を設け、その隙間を配線空間として利用しようとした場合に、上述した連動機構を設けると、天板をフラップ動作させない限り、パネル部材が天板に対し動くことはないため、前記隙間の奥行き幅を少なくともコネクタ類が挿通できる程度の幅に設定しておかないと、配線の挿脱に関して使い勝手に不具合を生じ得る。一方、上述したように隙間にある程度の奥行き幅をもたせると、その隙間からペンなどを落としたり、その隙間を介して天板上に引っ張りあげた配線ケーブルがコネクタごと再び脱落してしまったりする可能性が生じ、蓋などの余分な部材が必要となるという別の不具合が生じ得る。
【０００５】
そしてかかる不具合は、フラップ式のテーブルに限ったものではなく、通常の固定された天板を有するものにおいても共通すると考えられる。
【０００６】
そこで本発明は、上述した不具合を一挙に解決し、極めて簡単な構成で、天板とパネル部材との隙間を配線挿通空間として好適に利用できるパネル部材付のテーブルを提供することをその所期の課題とするものである。
【０００７】
【課題を解決するための手段】
すなわち本発明に係るテーブルは、略水平となる使用姿勢と略鉛直に起立する収納姿勢との間で回動可能に構成した天板と、天板表面より上方又は天板裏面より下方に所定距離偏位させた位置であって且つ天板の反使用縁より後方に離間した位置に設けたパネル部材回転軸を介して当該天板に天板の回動とは独立して回転可能に支持させたデスクトップパネルや幕板等のパネル部材とを備え、当該パネル部材が、その上端部をパネル部材回転軸より上方に位置付けたものであり、このパネル部材を略鉛直に起立させた起立姿勢にした場合には、該パネル部材と天板との間に配線ケーブルを挿通させるための所定の大きさの隙間が形成され、前記パネル部材を回転させて傾斜姿勢にした場合には、前記隙間が前記起立姿勢におけるものよりも拡がるように構成したものであることを特徴とする。
【０００８】
なお、ここで「テーブル」とは、デスク等の天板を有する家具全般を含む概念である。
【０００９】
このようなものであれば、前記隙間の大きさを、パネル部材を通常使用する起立姿勢にした場合に、例えばペンやコネクタ等を落下させ得ない大きさのものとすることにより、前記隙間に蓋などの余分な構造を付加することを不要にできる。その一方で、パネル部材を傾斜させるだけで、その隙間の大きさを拡大できるので、コネクタ付の配線ケーブルを挿脱する際に不具合が生じることもない。
【００１０】
より具体的には、天板表面又は天板裏面とパネル部材回転軸との上下偏位距離を、パネル部材を起立姿勢にした場合の前記隙間の幅寸法よりも大きく設定し、パネル部材を起立姿勢から傾斜姿勢に回転させていくと、前記隙間が大きくなるように設定しておくことが好適である。
【００１１】
配線挿通のための隙間の好ましい形成部位としては、パネル部材回転軸が天板の反使用縁側に設けられた左右水平に延びるものであり、前記隙間が該パネル部材と天板の反使用縁部との間に形成されるようにしているものを挙げることができる。なお、本明細書において「左右水平に延びる」とは、「左右方向に沿って平行に延びる」と言うことであり、例えば、同軸線上に、前記パネル部材回転軸が間欠的に複数存在するような態様も含む。
【００１２】
いわゆるフラップ式のテーブル、すなわち天板を左右水平に延びる天板回動軸を介して脚体に支持させ、略水平となる使用姿勢と略鉛直に起立する収納姿勢との間で回動可能に構成したものにおいて本発明の作用効果を得るためには、前記パネル部材が天板の回動とは独立して回転するように構成しているものが望ましい。
【００１３】
前記隙間の具体的な大きさとしては、前記起立姿勢においては、前記隙間が配線ケーブルを挿通させ得るとともにコネクタ等は挿通させ得ない大きさとなり、前記傾斜姿勢においては前記隙間がコネクタ等をも挿通させ得る大きさとなるように設定しているものを挙げることができる。
【００１４】
前記パネル部材の配置位置の具体的実施態様としては、前記パネル部材が、前記起立姿勢において天板の反使用縁より後方に離間して配置されているものや、前記パネル部材が、前記起立姿勢において天板の上下に亘って配置されているものを挙げることができる。
【００１５】
隙間から挿通させた配線ケーブル等が側方から脱落したり、あるいはパネル部材回転軸に絡まったりするのを好適に防止するには、前記天板又は前記パネル部材のいずれか一方から他方に向かって突出する複数の隆起部を設け、前記起立姿勢において形成される隙間が、前記隆起部、前記天板及び前記パネル部材によって囲まれるように構成しているものが好ましい。
【００１７】
前記パネル部材の起立姿勢を、極めて簡単な構成で維持できるようにするには、前記パネル部材が、少なくとも重心より高い位置において前記パネル部材回転軸周りに回転自在に支持され、外力が作用しない状態においては、自重によって略起立姿勢を維持し得るように構成しておくことが望ましい。
【００１８】
【発明の実施の形態】
以下、本発明の一実施形態について図面を参照して説明する。
【００１９】
本実施形態に係るテーブル１は、図１〜図５に示すように、左右一対の脚体２によって天板３を左右水平に延びる天板回動軸３ａ周りに回動可能に支持させ、当該天板３の占める奥行き寸法を、当該天板３が略水平となる使用姿勢Ｐである場合よりも起立する収納姿勢Ｑである場合の方が小さくなるように設定したいわゆるフラップ式のものである。
【００２０】
脚体２は、図１〜図５に示すように、床上に配置され前後方向に延びるベース２１と、このベース２１からやや前傾する姿勢で起立する角パイプ状の支柱２３とを具備してなるもので、ベース２１の下向面には適宜キャスタ２１ａを取り付けてテーブル１を移動可能に支持させている。
【００２１】
天板３は、図１〜図５に示すように、その表面を使用面とする矩形板状をなす天板本体３１と、天板本体３１の下面両側縁部に固定して取り付けた一対の天板受け３２とからなるものである。天板受け３２は、前後に延びる板金製のもので、各支柱２３の上方に配置してある。また天板３の下面には左右に延びる棒状体３３を複数、前後に並べ設け、これらが棚として機能するように構成している。
【００２２】
この天板３は、左右水平に延びる天板回動軸３ａを介して脚体２に支持させてある。具体的には、前記天板受け３２と支柱２３の上端部とを前記天板回動軸３ａを介して連結してあり、この天板回動軸３ａにより前記天板３は、図２に示すように水平となる使用姿勢Ｐと、図６に示すように前記支柱２３に側面視平行となる収納姿勢Ｑとの間で起倒回動（フラップ動作）可能に支持されている。また、前記収納姿勢Ｑにおいては支柱２３の後面に天板受け３２の下面が略接するように設定してある。なお、図中符号５１は天板３を収納位置Ｑと使用位置Ｐとにロックするロック手段をなす操作レバー５１である。このロック手段は、詳細を図示しないが左右の支柱２３及び天板受け３２の両方に設けてあり、左右のうち一方の操作レバー５１に操作力を入力すると、反対側のロック手段が連動するようにしてある。
【００２３】
さらに本実施形態では、天板３の反使用縁３ｂ側にパネル部材６を取り付けている。
【００２４】
このパネル部材６は、図１〜図５に示すように、天板本体３１と概略同一幅寸法を有する矩形等厚板状をなすものであり、使用姿勢Ｐにある天板３の反使用縁３ｂ側であって、その上下に亘って起立し、デスクトップパネルと幕板との双方の役割を担うようにしたものである。そして、天板３の表面より所定距離上方かつ天板３の反使用縁３ｂより後方に位置づけた左右水平に延びるパネル部材回転軸６ａによってのみ回転自在に支持させ、このパネル部材６をそれ単独で独立して回転させ得るように構成している。
【００２５】
前記パネル部材回転軸６ａには、パネル部材６の側縁部であってその重心より上方に偏位した部位を支持させており、このパネル部材６が前記天板３の回動に拘わらず、当該天板３と干渉しない位置において自重によって常に略鉛直な起立姿勢Ｕを保ち得るようにしている。より具体的には、天板本体３１の各側縁部反使用縁３ｂ寄りに、薄板状をなすブラケット７がそれぞれ斜め後方に延びるように取り付けてあって、このブラケット７の先端部と、パネル部材６の側縁部であってその重心より上方に偏位した部位とを前記パネル部材回転軸６ａを介して回転自在に連結してある。
【００２６】
しかして、使用姿勢Ｐにある天板３の反使用縁３ｂと起立姿勢Ｕにあるパネル部材６の面板部６ｂとは前後に一定距離離間するように設定しており、その隙間Ｓを配線挿通口として利用することができるようにしてある。
【００２７】
この隙間Ｓの奥行き幅は略一定であり配線ケーブルＣＡを挿通させ得るとともにコネクタＣＮ等は挿通させ得ない寸法に設定してある。また、天板３の表面と前記パネル部材回転軸６ａとの上下離間寸法を、前記隙間Ｓの奥行き幅寸法よりも大きく設定しており、パネル部材６を起立姿勢Ｕから図７に示す傾斜姿勢Ｔに回転させていくとその隙間Ｓの幅寸法が大きくなって、コネクタＣＮ等をも挿通させ得るものとなるように設定している。
【００２８】
また本実施形態では、天板３の反使用縁３ｂ（本実施形態では天板本体３１の反使用縁３ｂ両端部）から互いに離間させた複数の隆起部８を後方に突出させており、これら隆起部８の先端にパネル部材６の面板部６ｂが略接するように設定している。そして前記隙間Ｓが、前記隆起部８、天板３の反使用縁３ｂ及びパネル部材６の面板部６ｂに囲まれて形成されるようにしてある。なお、この隙間Ｓの下方であってパネル部材６の面板部６ｂには、上方及び側方に開口するチャネル状の配線保持ダクトＤを取り付けている。
【００２９】
次に本テーブル１において、前記隙間Ｓを利用して配線を行う場合の操作について以下に説明する。
【００３０】
天板３が使用姿勢Ｐにあり、パネル部材６が起立姿勢Ｕにある状態において、前記隙間Ｓは上述したように配線ケーブルＣＡを挿通させ得るとともにコネクタＣＮ等は挿通させ得ない奥行き幅寸法を有する。
【００３１】
この状態から、図７に示すように、パネル部材６に手を掛けるなどして外力を与えて回転させ、傾斜させれば、上述したように、この隙間Ｓの奥行き幅が大きくなって、コネクタＣＮ等をも挿通させることが可能となるので、例えば下方から隙間Ｓを介してコネクタＣＮ付の配線ケーブルＣＡを天板３上に引っ張り出したり、天板３上にある配線ケーブルＣＡを引き抜いたりすることができる。
【００３２】
このようにして配線作業をした後、再びパネル部材６を起立姿勢Ｕに戻す。なお起立姿勢Ｕに戻すためには外力を取り除きさえすればよい。パネル部材６は自重により自然に起立姿勢Ｕになるからである。
【００３３】
また、この状態では、前記隙間ＳはコネクタＣＮ等を挿通させ得ないので、天板３上に引っ張り出した配線ケーブルＣＡやある程度の大きさを有したペンなどの筆記具が、隙間Ｓから不測に脱落することはない。
【００３４】
なお、このテーブル１はフラップ式のものであるので、天板３をフラップ動作させた場合の動きについても簡単に説明しておく。
【００３５】
天板３が使用姿勢Ｐにある状態から、いずれかの操作レバー５１を操作すると、天板３はフラップ回動自在となるため、図６に示すように、天板３を収納姿勢Ｑにすることができる。この過程において、前記パネル部材６は天板３に回転自在に取り付けられているため、天板３の回動に拘わらず、自重により起立姿勢Ｕを保ちつつ、天板３との相対角度を変えていくことになる。
【００３６】
そして天板３が収納姿勢Ｑにある状態では、パネル部材６は天板３と略平行な姿勢となってその後方に起立し、図８に示すように、複数のテーブルを前後にスタックすることが可能となる。なお、この収納姿勢Ｑにおいて、パネル部材６がベースの後端よりも前方で起立するように、前記パネル部材回転軸６ａの天板本体３１からの偏位距離を設定している。
【００３７】
したがって、このように構成した本実施形態に係るテーブル１によれば、前記隙間Ｓの大きさを、パネル部材６を通常使用する起立姿勢Ｕにした場合にペンやコネクタＣＮ等を落下させ得ない程度のものとしているので、前記隙間Ｓに落下防止のための蓋等、余分な部材を付加することを不要にできる。その一方で、パネル部材６を傾斜させるだけで、前記隙間Ｓの大きさを拡大できるので、コネクタＣＮ付の配線ケーブルＣＡ等を挿脱する際の便に不具合が生じることもない。
【００３８】
また、パネル部材６が天板３の回動に応じて当該天板３との相対角度を変え得るものであるにも拘わらず、天板３の回動とパネル部材６の回転とを同期連動させるような機構を必要とせず、パネル部材６を極めて単純に回転支持さえすればよいため、コストや重量等の点で非常に優れたものとなる。また構造単純化に伴って、異音やがたの防止等の機構も可及的に減らすことができるという付随的な効果も奏し得る。
【００３９】
なお、本発明は上述した実施形態に限られるものではない。
【００４０】
例えば、パネル部材６を、図９に示すように天板３の上方に配置されてデスクトップパネルだけの役割を担うものとしてもよいし、図１０に示すように天板３の下方に配置されて幕板だけの役割を担うものとしてもよい。そしてその場合には、パネル部材回転軸６ａをパネル部材６の重心位置よりも上方に位置させるべく、ブラケット７の形状や取付位置を適宣変更したり、パネル部材６の下部に重りを入れるなどして重心位置の調整等を行うことが好ましい。
【００４１】
また、隙間Ｓは、天板３の反使用縁３ｂとパネル部材６の面板部６ｂとの間に形成されるもののみならず、例えば図９に示すように、パネル部材６の端縁６ｃと、天板３の反使用縁部３Ｂにおける表面との間に形成するようにしても構わない。なお本明細書で「縁部」とは「縁」近傍のことを意味するとしている。もちろん、その幅も一定幅に限られず、例えば天板の縁を湾曲させるなどして、幅が部位によって異なるようにしたものでも構わない。
【００４２】
さらに、天板３フラップ可能なもののみならず、脚体や支持体等に固定された固定天板であっても構わない。特にその場合は、パネル部材を天板の側縁等、各縁に沿って配置しても前記実施形態と同様の作用効果を奏し得る。
【００４３】
また、図１１に示すように、隆起部８をパネル部材６側に設けてもよい。かかる隆起部の数は３つ以上あってもよいし、１つであってもよい。さらにその形状も湾曲形状のものや屈曲形状のものなど、適宣変更が可能である。
【００４４】
加えて、パネル部材は、幕板やデスクトップパネルの機能を果たすもののみならず、例えば配線ダクト等と一体に設けられて、その支持を行うための面板状の部材であってもよい。
【００４５】
その他、天板、脚体の形状等は前記実施形態に限られるものではないし、本発明はその趣旨を逸脱しない範囲で種々変形が可能であるのは言うまでもない。
【００４６】
【発明の効果】
以上に詳述したように、本発明によれば、前記隙間の大きさを、パネル部材を通常使用する起立姿勢にした場合に、ペンやコネクタ等を落下させ得ない大きさのものとしているので、前記隙間に落下防止のための蓋等、余分な部材を付加することを不要にできる。その一方で、パネル部材を傾斜させるだけで、前記隙間の大きさを拡大できるので、コネクタ付の配線ケーブル等を挿脱する際の便に不具合が生じることもない。
【００４７】
すなわち極めて簡単な構造で、前記パネル部材を利用して配線挿通用の隙間を形成でき、しかも、その隙間からの物品脱落防止と、隙間を利用した配線の利便性という、互いに相反する利点を無理なく共有することが可能となる。
【図面の簡単な説明】
【図１】本発明の一実施形態におけるテーブルの全体斜視図。
【図２】同実施形態におけるテーブルの側面図。
【図３】同実施形態におけるテーブルの平面図。
【図４】同実施形態におけるテーブルの正面図。
【図５】同実施形態におけるテーブルの背面図。
【図６】同実施形態におけるテーブルの天板を収納姿勢にした状態を示す側面図。
【図７】同実施形態におけるテーブルのパネル部材を傾斜させた状態を示す側面図。
【図８】同実施形態において複数のテーブルを前後にスタックした状態を示す側面図。
【図９】本発明の他の実施形態におけるテーブルの側面図。
【図１０】本発明のさらに他の実施形態におけるテーブルの側面図。
【図１１】本発明のさらに他の実施形態におけるテーブルの正面図。
【符号の説明】
１・・・テーブル
２・・・脚体
３・・・天板
３ａ・・・天板回動軸
３ｂ・・・反使用縁
６・・・パネル部材
６ａ・・・パネル部材回転軸
６ｂ・・・面板部
８・・・隆起部
Ｐ・・・使用姿勢
Ｑ・・・収納姿勢
Ｕ・・・起立姿勢
Ｔ・・・傾斜姿勢
【図１】
0004053815.tif 000002
【図２】
0004053815.tif 000003
【図３】
0004053815.tif 000004
【図４】
0004053815.tif 000005
【図５】
0004053815.tif 000006
【図６】
0004053815.tif 000007
【図７】
0004053815.tif 000008
【図８】
0004053815.tif 000009
【図９】
0004053815.tif 000010
【図１０】
0004053815.tif 000011
【図１１】
0004053815.tif 000012